(57)【要約】【課題】従来の鍋の底径の１．５〜２倍の底径を有する特大鍋とほぼ同等の外径を有する特大鍋用の誘導加熱コイルが有する多数の口出し線を収容可能な誘導加熱調理器を得る。【解決手段】本体１に設けられ、複数の誘導加熱コイル４を収容する誘導加熱コイル収容室３において、左側の誘導加熱コイル４ａの外径は右側の誘導加熱コイル４ｂの外径の１．５〜２倍であり、複数の分割コイルから構成されている。各分割コイルは、２〜３本の口出し線を持っている。端子台５は、誘導加熱コイル収容室３内の誘導加熱コイル群の占有領域を除いた残りの空き領域内に配設され、左側の誘導加熱コイル４ａの各分割コイルが有する口出し線の前記端子台と外部との間の配線は誘導加熱コイル４ａの下部の風路６内に引き込まれてそこで束ねられ、この風路６内を通って基板に接続される。これにより誘導加熱コイル収容室３内の空き領域を拡大できるため、配線作業が可能になる。【選択図】図２
2011198491.tif 000002
【特許請求の範囲】
【請求項１】
誘導加熱コイル群と端子台とを収容する収容室と、前記誘導加熱コイル群を構成する各誘導加熱コイルの下部に配設され前記誘導加熱コイルを冷却する冷却風が通過する風路と、を本体内に備え、
前記誘導加熱コイル群は第１の誘導加熱コイルと、第２の誘導加熱コイルとを含み、
前記第１の誘導加熱コイルの外径は前記第２の誘導加熱コイルの外径の１．５〜２倍であり、それぞれ複数の口出し線を有する複数の分割コイルで構成され、
前記端子台は、前記収容室内の前記誘導加熱コイル群の占有領域を除いた残りの空き領域内に配設され、
前記第２の誘導加熱コイルの各分割コイルが有する口出し線の前記端子台と外部との間の配線は前記風路内を通ることを特徴とする誘導加熱調理器。
【請求項２】
前記配線を前記冷却風路内で束ねる結束バンドを備えたことを特徴とする請求項１に記載の誘導加熱調理器。
【請求項３】
前記配線は前記風路内を通る代わりに、前記風路を構成する風路構造体の外壁に沿って行われることを特徴とする請求項１または請求項２に記載の誘導加熱調理器。
【発明の詳細な説明】
【技術分野】
【０００１】
この発明は、誘導加熱調理器に関するものであり、特に誘導加熱コイルの引き出し線処理に関する。
【背景技術】
【０００２】
従来の誘導加熱調理器は、フラットな天板を備え、この天板上に載置された鍋は、この天板の下方に配設された誘導加熱コイルから発せられた交番磁界により誘導加熱されるので、火を使わずに鍋を加熱することができる。従来の誘導加熱調理器として少なくとも２つの誘導加熱コイルを備えたものがあり、大抵は調理者側から見て手前側の左右にほぼ外径が等しい２つの誘導加熱コイルが配置されたものが知られている(例えば、特許文献１、２)。この誘導加熱コイルの口出し線は誘導加熱コイル１台当たり２本〜３本で構成されており、誘導加熱コイルを駆動するための駆動回路やマイコンなどの制御部を搭載した基板と誘導加熱コイルとの間を結ぶ配線に介在する端子台は、誘導加熱コイルの外側の空き空間に設けられている。
【先行技術文献】
【特許文献】
【０００３】
【特許文献１】特開２００２−１９８１６４号公報（図１〜図４）
【特許文献２】特開２００５−００５１３２号公報（第４頁〜第６頁、図２）
【発明の概要】
【発明が解決しようとする課題】
【０００４】
しかしながら、特許文献１及び特許文献２に記載された従来例は、上記のように構成されているため、底径が従来の誘導加熱コイルの外径より遙かに大きい規定外の特別に大きい鍋（例えば、従来の誘導加熱コイルの外径の１．５〜２倍の底径を有する鍋（以下、特大鍋と称する場合がある））の調理に対応できない。また、従来の誘導加熱コイルで特大鍋を加熱させようとしても、誘導加熱コイルで加熱できる領域が特大鍋の底面積より狭いため、加熱中に熱が特大鍋の誘導加熱コイルからはみ出した鍋底部分や特大鍋の側面を通して外部へ逃げ易いため、調理効率が非常に低いという問題があった。
そこで、この問題を解決するために、従来の誘導加熱調理器で使用されている誘導加熱コイルの外径の１．５〜２倍の外径を有する誘導加熱コイルを設けて、上記の特大鍋でも加熱調理が可能な誘導加熱調理器を考案することが考えられる。この場合、誘導加熱調理器をキッチンに収納するビルトイン型を前提としているため、誘導加熱調理器本体の形状は略直方体となっている。従って、誘導加熱調理器本体内の誘導加熱コイル収容室の水平方向の設置領域は最大限誘導加熱調理器本体の筐体の大きさに限られている。この収容室に特大鍋用の誘導加熱コイルが収納されるが、この誘導加熱コイルは複数の分割コイルから構成される場合があり、その場合には各分割コイルから２〜３本ずつ口出し線が出ている。すなわち、引き出し線の数は特大鍋を構成する分割コイルの数によって決まり、特大鍋用の誘導加熱コイルからは多数の口出し線が出ている。なお、基板と配線するための端子台は誘導加熱コイルの側方に設けられる場合が多い。
一方、特大鍋用の誘導加熱コイルの占有領域が非常に大きいため、誘導加熱コイル収容室内の空き領域は逆に非常に狭くなり、この狭い空き領域を利用して多数の口出し線を収納しなければならず、配線作業が困難であることが課題であった。
【０００５】
本発明は上記のような問題点を解決するために為されたものであり、主な目的は、従来の鍋の底径の１．５〜２倍の底径を有する特大鍋とほぼ同等の外径を有する特大鍋用の誘導加熱コイルが有する複数（４本以上）の口出し線を収容可能な誘導加熱調理器を得ることにある。
【課題を解決するための手段】
【０００６】
本発明に係る誘導加熱調理器は、誘導加熱コイル群と端子台とを収容する収容室と、誘導加熱コイル群を構成する各誘導加熱コイルの下部に配設され前記誘導加熱コイルを冷却する冷却風が通る風路と、を本体内に備え、誘導加熱コイル群は第１の誘導加熱コイルと、第２の誘導加熱コイルとを含み、第１の誘導加熱コイルの外径は前記第２の誘導加熱コイルの外径の１．５〜２倍であり、それぞれ複数の口出し線を有する複数の分割コイルで構成され、端子台は、収容室内の誘導加熱コイル群の占有領域を除いた残りの空き領域内に配設され、第１の誘導加熱コイルの各分割コイルが有する口出し線の前記端子台と外部との間の配線は風路内を通るものである。
【発明の効果】
【０００７】
本発明に係る誘導加熱調理器は、誘導加熱コイル群と端子台とを収容する収容室と、誘導加熱コイル群を構成する各誘導加熱コイルの下部に配設され前記誘導加熱コイルを冷却する冷却風が通る風路と、を本体内に備え、誘導加熱コイル群は第１の誘導加熱コイルと、第２の誘導加熱コイルとを含み、第１の誘導加熱コイルの外径は前記第２の誘導加熱コイルの外径の１．５〜２倍であり、それぞれ複数の口出し線を有する複数の分割コイルで構成され、端子台は、収容室内の誘導加熱コイル群の占有領域を除いた残りの空き領域内に配設され、第１の誘導加熱コイルの各分割コイルが有する口出し線の前記端子台と外部との間の配線は風路内を通るので、収容室内の空き領域を拡大できるため、特大鍋用の第１の誘導加熱コイルを収容室内の狭い空き領域でも配線作業が可能になる。
【図面の簡単な説明】
【０００８】
【図１】本発明の実施の形態１における誘導加熱調理器の天板を外した状態の外観を示す斜視図である。
【図２】本発明の実施の形態１における誘導加熱調理器の天板を外した状態の本体１の斜視図である。
【図３】図２に示す風路６の構成を示す図である。
【図４】結束バンドを利用して図３における配線を固定した様子を示す模式図である。
【発明を実施するための形態】
【０００９】
実施の形態１．
図１は本発明の実施の形態１における誘導加熱調理器の天板を外した状態の外観を示す斜視図、図２は本発明の実施の形態１における誘導加熱調理器の天板を外した状態の本体１の斜視図である。図１、図２において、誘導加熱調理器１０は、複数の誘導加熱コイル４（以下、誘導加熱コイル群と称する場合がある）を収容する誘導加熱コイル収容室３を備えた本体１と、本体１の最上部に設置された天板（図示せず）と操作表示部（図示せず）とから構成されている。天板の下には、誘導加熱コイル収容室が配置されており、複数の誘導加熱コイル４が誘導加熱コイル収容室内に配置されている。
また、本実施の形態では、左右の誘導加熱コイル４の外径を大きく変えているのが特徴である。例えば左側の誘導加熱コイル４ａの外径を右側の誘導加熱コイル４ｂのそれよりも１．５〜２倍程度大きくしており、左側の誘導加熱コイル４ａには底径が一般の鍋の１．５〜２倍程度の大きさを持つ特大鍋を加熱調理させる。また、誘導加熱コイル収容室内の領域の内、左の誘導加熱コイル４ａの占有領域を除いた残りの領域には外径の大きさが次の誘導加熱コイル、ここでは、右側の誘導加熱コイル４ｂを配置し、底径が中位の鍋を加熱調理させる。また、誘導加熱コイル収容室３内の領域の内、左右の誘導加熱コイル４ａ、４ｂの占有領域を除いた領域のほぼ中央、すなわち、中央後部側にさらに外径の小さい誘導加熱コイル４ｃを配置し、底径が誘導加熱コイル４ｃの外径に合った小鍋を加熱させる。
【００１０】
図２に示すように誘導加熱コイル収容室３を備えた本体１を、前面が面一に構成されたキッチンに組み込むビルトイン型とするために、本体１の筐体の形状はほぼ直方体となっている。また、左加熱コイル４ａのような大口径のものを本体の左側隅近くに配置した場合、調理者から見て左側前後２箇所、中央に空き領域が生じる。この空き領域を有効活用するため、この箇所に端子台５を設け、この端子台５を介して誘導加熱コイル４の口出し線を外部の基板と配線する。
なお、基板は、外部にあると説明したが、その理由は以下の通りである。基板は誘導加熱コイルを駆動するための駆動回路やマイコンなどの制御部を搭載したものであり、発熱素子を多く含んでいる。従って、できるだけ、冷却効果の高い上流の風路内に設置することが望ましい。従って、風路の下流側に当たり、発熱物体（鍋など）が近くにある誘導加熱コイル収容室３への基板の設置は回避するべきである。
【００１１】
また、図２に示すように、各誘導加熱コイル４の下部には、誘導加熱コイル４を冷却する冷却風を供給する風路６が設けられている。図３は図２に示す風路６の構成を示す図である。図３に示すように風路６の天面には、多数の噴出口７が形成されている。これにより、風路６を通過した冷却風は噴出口７から上方へ噴出することで誘導加熱コイル４を冷却することができる。
端子台５において、特大鍋用誘導加熱コイル４ａが、複数の分割コイルから構成されている場合には、端子台５と誘導加熱コイル収容室の外部に設けられた基板（図示せず）までの配線を風路６内に引き込んで、この風路６内で束ねて風路６内を通すように構成する。そのために、誘導加熱コイル４の風路６の端子台５の近くの部分に貫通穴８を設け、この貫通穴８を介して端子台５と誘導加熱コイル収容室外の基板までの配線を風路６内に引き込む。そして、複数本の配線をまとめて結束バンドで床面に固定するか、あるいはこれが難しければ複数本の配線を撚り合わせる。こうして束ねられた複数の配線を風路６の出口で結束バンド９で再度束ねる。これにより誘導加熱コイル収容室内の空き領域を確保できるため、配線作業が可能になる。
【００１２】
また、風路６内を通る配線は冷却風によって冷却されるため、載置された鍋から発せられる熱の影響を受けることがない。従って、配線が温度の急激な変化による伸縮の繰り返しにより寿命低下を引き起こすことを回避できる。また、風路６を金属などの導電体で構成すれば、配線を熱雑音などの外部雑音から遮蔽することが可能となり、配線に電流センサなどの検知器を接続する場合でも、誤検知を発生することが非常に少なくなる。
なお、配線を、風路６を構成する風路構造体の外壁に沿わせるようにしても良い。これにより、省スペース化は図れないものの、配線を風路６内に収納するよりも、配線作業が容易になる。
【００１３】
また、図４は結束バンドを利用して図３における配線を固定した様子を示す模式図である。図４において、図３と同符号は同一または相当部分を示す。図３に結束バンド９を追加した以外は図３と同じである。結束バンド９により配線を風路６内の床面に固定することにより、風路６内の抵抗損を少なくすることができる。なお、結束バンド９による配線の固定個所は床面だけでなく壁面を利用しても良く、得られる効果は同様である。
【符号の説明】
【００１４】
１  本体、３  誘導加熱コイル収容室、４、４ａ〜ｃ  誘導加熱コイル、５、５ａ〜ｅ  端子台、６  風路、７、噴出口、８  貫通穴、９  結束バンド、１０  誘導加熱調理器。
【図１】
2011198491.tif 000003
【図２】
2011198491.tif 000004
【図３】
2011198491.tif 000005
【図４】
2011198491.tif 000006